(57)【要約】【課題】通信機能と情報処理機能とを有する場合に、端末コストの低減、利用者の利便性の向上が可能な情報通信端末を提供する。【解決手段】通信機能用の操作を行う第１操作部１０８−１(テンキー）と表示部１０７とを外面側に備えた第１ユニット１と、情報処理機能用の操作を行う第２操作部１０８−２（ＱＷＥＲＴＹキー）を外面側に備えた第２ユニット２とを第３操作部１０８−３(スライドキー)を備えたヒンジ部３にて開閉自在に結合するとともに、第１操作部１０８−１、第２操作部１０８−２、第３操作部１０８−３、表示部１０７のいずれも、第１ユニット１と第２ユニット２とを閉じた状態において外部に露出された状態とし、かつ、第１ユニット１と第２ユニット２との開閉角度に応じて、当該携帯通信端末１００の動作を切り替え、通信機能、情報処理機能のそれぞれの動作時において、必要とする情報を表示部１０７に画面表示させるように制御する。【選択図】        図１
2010050618.tif 000002
【特許請求の範囲】
【請求項１】
少なくとも通信機能用の操作を行う第１操作部および情報を画面表示する表示部を外面側に備えた第１ユニットと、少なくとも情報処理機能用の操作を行う第２操作部を外面側に備えた第２ユニットと、スライド式のキー操作を行う第３操作部を備えるとともに前記第１ユニットと前記第２ユニットとを開閉自在に結合するヒンジ部とから構成され、かつ、前記通信機能および前記情報処理機能の制御を行う制御部を備えた携帯通信端末であって、前記第１操作部、前記第２操作部、前記第３操作部、前記表示部のいずれもが、前記第１ユニットと前記第２ユニットとを閉じた状態において外部に露出された状態に配設されるとともに、前記制御部は、前記通信機能、前記情報処理機能のそれぞれの動作時において、必要とする情報を前記表示部に画面表示させるように制御することを特徴とする携帯通信端末。
【請求項２】
前記第１ユニットと前記第２ユニットとの開閉角度を検出する開閉検出部を備え、前記制御部は、前記開閉検出部が検出した前記開閉角度に応じて、当該携帯通信端末の動作を切り替えることを特徴とする請求項１に記載の携帯通信端末。
【請求項３】
前記制御部は、前記開閉検出部が検出した前記開閉角度が０度で閉じた状態にあった場合には、前記通信機能を動作可能な状態として、前記第１操作部および前記第３操作部を利用可能な状態に設定し、前記第２操作部を利用不可能な状態に設定することを特徴とする請求項２に記載の携帯通信端末。
【請求項４】
前記制御部は、前記開閉検出部が検出した前記開閉角度が９０度以上に開いた状態にあった場合には、前記情報処理機能を動作可能な状態として、前記第２操作部を利用可能な状態に設定することを特徴とする請求項２または３に記載の携帯通信端末。
【請求項５】
前記制御部は、前記開閉検出部が検出した前記開閉角度が０度で閉じた状態または９０度未満に開いた状態または１８０度に開いた状態にあった場合には、前記表示部を縦長画面表示になるように設定することを特徴とする請求項２ないし４のいずれかに記載の携帯通信端末。
【請求項６】
前記制御部は、前記開閉検出部が検出した前記開閉角度が９０度以上で１８０度未満に開いた状態にあった場合には、前記表示部を横長画面表示になるように設定することを特徴とする請求項２ないし５のいずれかに記載の携帯通信端末。
【請求項７】
前記制御部は、前記開閉検出部が前記開閉角度が０度の閉じた状態から１８０度に開いた状態になったことを検出した場合には、画像情報の取得を行うカメラ部を起動するとともに、前記表示部の画面表示をカメラのファインダー表示状態に設定することを特徴とする請求項２ないし６のいずれかに記載の携帯通信端末。
【請求項８】
前記第１操作部が、テンキーであり、前記第２操作部が、ＱＷＥＲＴＹキーであり、前記第３操作部が、スライドキーであることを特徴とする請求項１ないし７のいずれかに記載の携帯通信端末。
【請求項９】
当該携帯通信端末が、携帯情報端末（ＰＤＡ：Personal Digital Assistants）、携帯電話機、ＰＨＳ（Personal Handy-phone System）端末、携帯音楽プレーヤ、携帯ノートＰＣ（Personal Computer）のいずれかであることを特徴とする請求項１ないし８のいずれかに記載の携帯通信端末。
【請求項１０】
少なくとも通信機能用の操作を行う第１操作部および情報を画面表示する表示部を外面側に備えた第１ユニットと、少なくとも情報処理機能用の操作を行う第２操作部を外面側に備えた第２ユニットと、スライド式のキー操作を行う第３操作部を備えるとともに前記第１ユニットと前記第２ユニットとを開閉自在に結合するヒンジ部とから構成された携帯通信端末において、前記通信機能および前記情報処理機能の制御を行う携帯通信端末制御方法であって、前記第１操作部、前記第２操作部、前記第３操作部、前記表示部のいずれもが、前記第１ユニットと前記第２ユニットとを閉じた状態において外部に露出された状態に配設され、且つ、前記通信機能、前記情報処理機能のそれぞれの動作時において、必要とする情報を前記表示部に画面表示させるように制御することを特徴とする携帯通信端末制御方法。
【請求項１１】
前記第１ユニットと前記第２ユニットとの開閉角度を検出し、検出した前記開閉角度に応じて、当該携帯通信端末の動作を切り替えることを特徴とする請求項１０に記載の携帯通信端末制御方法。
【請求項１２】
前記第１ユニットと前記第２ユニットとの前記開閉角度が０度で閉じた状態にあった場合には、前記通信機能を動作可能な状態として、前記第１操作部および前記第３操作部を利用可能な状態に設定し、前記第２操作部を利用不可能な状態に設定することを特徴とする請求項１１に記載の携帯通信端末制御方法。
【請求項１３】
前記第１ユニットと前記第２ユニットとの前記開閉角度が９０度以上に開いた状態にあった場合には、前記情報処理機能を動作可能な状態として、前記第２操作部を利用可能な状態に設定することを特徴とする請求項１１または１２に記載の携帯通信端末制御方法。
【請求項１４】
前記第１ユニットと前記第２ユニットとの前記開閉角度が０度で閉じた状態または９０度未満に開いた状態または１８０度に開いた状態にあった場合には、前記表示部を縦長画面表示になるように設定することを特徴とする請求項１１ないし１３のいずれかに記載の携帯通信端末制御方法。
【請求項１５】
前記第１ユニットと前記第２ユニットとの前記開閉角度が９０度以上で１８０度未満に開いた状態にあった場合には、前記表示部を横長画面表示になるように設定することを特徴とする請求項１１ないし１４のいずれかに記載の携帯通信端末制御方法。
【請求項１６】
前記第１ユニットと前記第２ユニットとの前記開閉角度が０度の閉じた状態から１８０度に開いた状態になったことを検出した場合には、画像情報の取得を行うカメラ部を起動するとともに、前記表示部の画面表示をカメラのファインダー表示状態に設定することを特徴とする請求項１１ないし１５のいずれかに記載の携帯通信端末制御方法。
【請求項１７】
前記第１操作部が、テンキーであり、前記第２操作部が、ＱＷＥＲＴＹキーであり、前記第３操作部が、スライドキーであることを特徴とする請求項１０ないし１６のいずれかに記載の携帯通信端末制御方法。
【請求項１８】
請求項１０ないし１７のいずれかに記載の携帯通信端末制御方法をコンピュータによって実行可能なプログラムとして実施することを特徴とする携帯通信端末制御プログラム。
【請求項１９】
請求項１８に記載の携帯通信端末制御プログラムをコンピュータによって読み取り可能な記録媒体に記録していることを特徴とするプログラム記録媒体。
【発明の詳細な説明】
【技術分野】
【０００１】
本発明は、携帯通信端末、携帯通信端末制御方法、携帯通信端末制御プログラムおよびプログラム記録媒体に関する。
【背景技術】
【０００２】
特許文献１の特開２００１−３３９４９９号公報「パソコン付携帯電話」に記載のように、情報処理機能用としての操作を行うことが可能なＱＷＥＲＴＹキー用の操作部を有する従来の折り畳み型の携帯情報処理端末においては、情報処理用の各種の情報を表示するための表示部は、外部に露出しないように、ＱＷＥＲＴＹキー用の操作部とともに、折り畳んだ状態の内面側に配置されている。しかし、当該携帯情報処理端末を携帯電話機として利用する場合には、折り畳んだ状態で外部に露出する主表面上に、電話番号などの入力を行うテンキー用の操作部とともに電話番号などの表示のために表示部が必要となる。したがって、前述のようなＱＷＥＲＴＹキー操作部を有する折り畳み型の携帯通信端末（例えば、携帯情報端末:ＰＤＡ(Personal Digital Assistants）)においては、内面側および外面側の両面に計２つの表示部を必要としていた。
【特許文献１】特開２００１−３３９４９９号公報（第３頁）
【発明の開示】
【発明が解決しようとする課題】
【０００３】
前述したように、ＱＷＥＲＴＹキー用の操作部を有する従来の折り畳み型の携帯通信端末（例えば、携帯情報端末：ＰＤＡ）においては、折り畳んだ状態では外部に露出しない状態になる内面側に、情報処理用の情報を表示する表示部を備えるとともに、折り畳んだ状態で外部に露出する状態になる外面側に、携帯電話機として使用する際の電話番号などを表示する表示部を備えるという構成が採用されている。
【０００４】
しかしながら、かくのごとく、２つの表示部を携帯通信端末として備えることが必要となるため、携帯通信端末の端末コストが増加するとともに、端末の小型化が阻害される要因になっていた。
【０００５】
本発明は、かかる事情に鑑みてなされたものであり、通信機能用の操作を行う第１操作部（テンキー）と情報処理機能用の操作を行う第２操作部（ＱＷＥＲＴＹキー）とを備えている場合において、両者の機能で共用することが可能な１つの表示部のみを備えた構成を可能とするとともに、折り畳み構造を形成する第１ユニットと第２ユニットとの開閉角度に応じて、操作することが可能な操作部や、利用することが可能な通信機能、情報処理機能を切り替えることを可能とする折り畳み型の情報通信端末、携帯通信端末制御方法、携帯通信端末制御プログラムおよびプログラム記録媒体を提供することを、その目的としている。
【課題を解決するための手段】
【０００６】
前述の課題を解決するため、本発明による携帯通信端末は、次のような特徴的な構成を採用している。
【０００７】
（１）少なくとも通信機能用の操作を行う第１操作部および情報を画面表示する表示部を外面側に備えた第１ユニットと、少なくとも情報処理機能用の操作を行う第２操作部を外面側に備えた第２ユニットと、スライド式のキー操作を行う第３操作部を備えるとともに前記第１ユニットと前記第２ユニットとを開閉自在に結合するヒンジ部とから構成され、かつ、前記通信機能および前記情報処理機能の制御を行う制御部を備えた携帯通信端末であって、前記第１操作部、前記第２操作部、前記第３操作部、前記表示部のいずれもが、前記第１ユニットと前記第２ユニットとを閉じた状態において外部に露出された状態に配設されるとともに、前記制御部は、前記通信機能、前記情報処理機能のそれぞれの動作時において、必要とする情報を前記表示部に画面表示させるように制御する携帯通信端末。
【発明の効果】
【０００８】
本発明の携帯通信端末、携帯通信端末制御方法、携帯通信端末制御プログラムおよびプログラム記録媒体によれば、携帯通信端末の折り畳み構造を実現する第１ユニットと第２ユニットとを閉じた状態としても、開いた状態としても、表示部、第１操作部のテンキーのみならず、少なくとも、第２操作部のＱＷＥＲＴＹキー、第３操作部のスライドキーを外部に露出して利用者の操作や情報の表示が可能な状態としているので、１つの表示部のみで、第１操作部のテンキーの操作時の表示部と第２操作部のＱＷＥＲＴＹキーの操作時の表示部とを兼用させることができ、端末コストの低減、および、端末の小型化を図ることができる。
【０００９】
また、第１ユニットと第２ユニットとの開閉角度（例えば、１８０度に開いた状態、９０度以上に開いた状態、折り畳んで閉じた状態など）に応じて、利用可能とする情報処理機能、通信機能を切り替えることや、操作可能な操作部を切り替えたり、表示部の表示方向（縦長表示、横長表示）を切り替えたりすることを可能とすることにより、利用者の利便性を向上させることができる。
【発明を実施するための最良の形態】
【００１０】
以下、本発明による携帯通信端末、携帯通信端末制御方法、携帯通信端末制御プログラムおよびプログラム記録媒体の好適な実施例について添付図を参照して説明する。なお、以下の説明においては、本発明による携帯通信端末、携帯通信端末制御方法について説明するが、かかる携帯通信端末制御方法をコンピュータにより実行可能な携帯通信端末制御プログラムとして実施するようにしても良いし、あるいは、携帯通信端末制御プログラムをコンピュータにより読み取り可能な記録媒体に記録するようにしても良いことは言うまでもない。
【００１１】
（本発明の特徴）
本発明の携帯通信端末は、少なくとも、情報を画面表示する表示部および通信機能用の操作を行う第１操作部（テンキー）を外面側に有しあらかじめ定めた形状例えば直方体形状からなる第１ユニットと、情報処理機能用の操作を行う第２操作部（ＱＷＥＲＴＹキー）を外面側に有し前記第１ユニットと略同一形状からなる第２ユニットと、スライド式のキー操作を行う第３操作部（スライドキー）を有し前記第１ユニットと前記第２ユニットとを開閉自在に結合するヒンジ部と、を備えた携帯通信端末であって、通信機能および情報処理機能の制御を行う制御部を備え、前記第１ユニットと前記第２ユニットとを閉じた状態においても、また、開いた状態においても、第１操作部（テンキー）のみならず、前記表示部、前記第１操作部（ＱＷＥＲＴＹキー）および前記第３操作部（スライドキー）が、外部に露出するように配設されているとともに、前記制御部は、前記通信機能、前記情報処理機能のそれぞれの動作時において、必要とする情報を前記表示部に画面表示させるように制御することを特徴としている。
【００１２】
かくのごとき構造とすることにより、第１操作部のテンキー操作時における表示部と第２操作部のＱＷＥＲＴＹキー操作時における表示部とを１つの表示部にて兼用させることが可能となり、端末コストの低減および端末の小型化を図ることができる。
【００１３】
また、前述のごとき構成からなる本発明の携帯通信端末は、前記第１ユニットと前記第２ユニットとの開閉角度を検出する状態検出部すなわち開閉検出部をさらに備え、前記制御部は、前記開閉検出部により検出された前記開閉角度に応じて、当該携帯通信端末の動作を切り替えることを特徴としている。
【００１４】
例えば、前記開閉角度が０度で閉状態にあることが検出されたとき、通信機能用の前記第１操作部（テンキー）および前記第３操作部（スライドキー）を利用可能にし、情報処理機能用の前記第２操作部（ＱＷＥＲＴＹキー）を利用不可能な状態に設定する一方、前記開閉角度が９０度以上の開いた状態にあることが検出されたとき、情報処理機能用の前記第２操作部（ＱＷＥＲＴＹキー）を利用可能とするように制御することを特徴としている。
【００１５】
かくのごとく、前記第１ユニットと前記第２ユニットとの開閉角度に応じて、前記第１操作部（テンキー）、前記第２操作部（ＱＷＥＲＴＹキー）、前記第３操作部（スライドキー）の利用可能な操作部を切り替えることにより、利用者の利便性を向上させることができる。
【００１６】
（実施形態の構成）
本発明の一実施形態である携帯通信端末１００について、図面を参照して説明する。図１は、本発明による携帯通信端末１００の構成例を示す模式図であり、第１ユニット１と第２ユニット２とをヒンジ部３を介して閉じた状態をヒンジ部３側から眺めた正面図（図１（Ａ））と閉じた状態を上側から眺めた立面図（図１（Ｂ））と正面図（図１（Ａ））の左側から眺めた左側面図（図１（Ｃ））と正面図（図１（Ａ））の右側から眺めた右側面図（図１（Ｄ））とを示している。
【００１７】
図２は、図１の携帯通信端末１００の内面の構成例を示す内面図であり、折り畳み構造を形成する第１ユニット１と第２ユニット２との双方の内面の構成例を示している。図２に示すように、第１ユニット１の内面にカメラ部１０３が配設されている以外には、第１ユニット１、第２ユニット２の内面側には如何なる部品も配設されていない。図３は、図１の携帯通信端末１００の外面の構成例を示す外面図であり、折り畳み構造を形成する第１ユニット１と第２ユニット２との双方の外面の構成例を示している。図３に示すように、第１ユニット１の外面には、第１操作部１０８−１のテンキー、第４操作部１０８−４の方向キー／決定キー／機能キー、表示部１０７、通話用の受話部のスピーカ１０６および図示していない送話部のマイクが少なくとも配設されており、一方、第２ユニット２の外面には、第２操作部１０８−２のＱＷＥＲＴＹキーが少なくとも配設されている。
【００１８】
つまり、本発明の一実施形態を示す携帯通信端末１００は、通信機能（通話、メール送受信、インターネット接続）やＴＶ放送受信機能等を備えた携帯型の情報処理装置（例えば、携帯情報端末（ＰＤＡ：Personal Digital Assistants）や携帯電話機、ＰＨＳ(Personal Handy-phone System）端末、携帯音楽プレーヤ、携帯ノートＰＣ（Personal
Computer）)であって、図１ないし図３に示すように、携帯性に富む形状としてあらかじめ定めた形状例えば直方体形状からなり、少なくとも表示部１０７および第１操作部１０８−１のテンキーを有する第１ユニット１と、第１ユニット１と略同一形状であり、少なくとも第２操作部１０８−２のＱＷＥＲＴＹキーを有する第２ユニット２を含んで構成される。
【００１９】
また、第１ユニット１と第２ユニット２とは、第３操作部１０８−３のスライドキーを有するとともに第１ユニット１と第２ユニット２との間を電気的および構造的に結合するヒンジ部３により開閉可能な構成としている。このように構成された携帯通信端末１００は、第１ユニット１と第２ユニット２とを閉じた状態においても、図１に示すように、表示部１０７および第１操作部１０８−１のテンキーのみならず、第２操作部１０８−２のＱＷＥＲＴＹキーおよび第３操作部１０８−３のスライドキーも、外部に露出しているように配設されている。
【００２０】
さらに、携帯通信端末１００は、図４に示すように、無線通信部１０１、放送受信部１０２、カメラ部１０３、音声処理部１０４、マイク１０５、スピーカ１０６、表示部１０７、操作部１０８（第１操作部１０８−１、第２操作部１０８−２、第３操作部１０８−３)、状態検出部１０９、開閉センサ１１０、スピーカ部１１１、記憶部１１２、制御部１１３およびアンテナ１１４（第１アンテナ１１４−１、第２アンテナ１１４−２）を、少なくとも備えて構成されている。図４は、図１の携帯通信端末１００の内部構成の一例を示すブロック構成図である。
【００２１】
無線通信部１０１は、第１アンテナ１１４−１を介して、図示していない無線基地局装置との間で通信用の無線信号により情報の送受を行う部位であり、放送受信部１０２は、図示していない放送局（地上局、衛星など）から送信されてきた放送信号を、第２アンテナ１１４−２を介して受信し、受信した放送信号を復調して映像データ、音声データ、情報データ等の各放送信号に分離する処理を行う部位である。
【００２２】
カメラ部１０３は、図２の内面図にも示すように、第１ユニット１の内面に取り付けられており、画像情報の取得（撮影）を行う部位であり、音声処理部１０４は、図３の外面図にも示すように、第１ユニット１の外面に取り付けられている送話部のマイク１０５および受話部のスピーカ１０６を介して入出力された通話用の音声信号の処理を行う部位である。
【００２３】
表示部１０７は、図３の外面図にも示すように、第１ユニット１の外面に取り付けられ、画像、図形、文字、記号などの情報の画面表示出力（映像信号処理）を行う部位であり、操作部１０８は、前述のように、主に通信機能用として用いる第１操作部１０８−１のテンキー、主に情報処理機能用として用いる第２操作部１０８−２のＱＷＥＲＴＹキー、音量等の調整を行ったりするための第３操作部１０８−３のスライドキーおよび第１操作部１０８−１と同じ第１ユニット１の外面に取り付けられている第４操作部１０８−４の方向キー／決定キー／機能キー等から構成され、携帯通信端末に対する利用者からの各種情報の入力を行うための部位である。
【００２４】
開閉検出部である状態検出部１０９は、第１ユニット１と第２ユニット２との開閉角度を、開閉センサ１１０（例えば、磁気素子／ホール素子あるいは凸部スイッチ／押下スイッチ等によるセンサ）により検出する部位であり、スピーカ部１１１は、楽音や報知音などの鳴音出力を行う部位である。
【００２５】
記憶部１１２は、各種の情報を記憶する部位であり、電話帳情報、送受信メール情報、発着呼情報、コンテンツ情報、携帯通信端末制御プログラムなどのシステムプログラムに関する情報やアプリケーションプログラムに関する情報、カメラ部１０３にて撮影した撮影画像、さらには、携帯通信端末１００の諸設定情報等を格納している。
【００２６】
また、制御部１１３は、当該携帯通信端末１００の全体の動作を制御し、通信機能、情報処理機能のそれぞれの動作を制御する部位であり、必要に応じて操作部１０８それぞれの動作を制御するとともに、必要とする情報を表示部１０７に画面表示させるように制御することにより、電話機能、メール機能、インターネット(Ｗｅｂ)接続機能、カメラ機能、テレビ受信機能、コンテンツ再生機能、その他の当該携帯通信端末１００が有する各種機能や当該携帯通信端末１００を構成する各部位の制御を行うものである。
【００２７】
なお、操作部１０８は、利用者が操作する部位であり、前述したように、第１操作部１０８−１のテンキーおよび第４操作部１０８−４の方向キー／決定キー／機能キー等が第１ユニット１の外面に、第２操作部１０８−２のＱＷＥＲＴＹキーが第２ユニット２の外面に、そして、第３操作部１０８−３のスライドキーがヒンジ部３に配設されている。
【００２８】
さらに、表示部１０７については、画像、図形、文字、記号などの情報の画面表示出力（映像信号出力処理）を行う前述のような表示機能に加えて、圧力や静電容量等の方式により利用者の入力操作を感知するスイッチ機能を兼ね備えたタッチパネル（タッチスクリーン）として構成されていても良い。かかるタッチパネル方式として表示部１０７を構成した場合、操作部１０８のキーを表示部１０７に表示させるように構成することも可能になる。
【００２９】
（実施形態の動作の説明）
次に、本発明の一実施形態である図１ないし図４の携帯通信端末１００の動作について、図５のフローチャートを参照しながら説明する。ここに、図５は、本発明の一実施形態である携帯通信端末１００の動作の一例を説明するためのフローチャートであり、本発明の携帯通信端末制御方法の一例を示している。
【００３０】
本発明の一実施形態の携帯通信端末１００は、第１ユニット１と第２ユニット２とを閉じた状態において、図１、図３に示すように、表示部１０７、第１操作部１０８−１のテンキー、第２操作部１０８−２のＱＷＥＲＴＹキー、第３操作部１０８−３のスライドキーおよび第４操作部１０８−４の方向キー／決定キー／機能キーは、外部に露出するように配設されている。
【００３１】
かかる携帯通信端末１００の電源がＯＮされると（ステップＳ１０１のＹｅｓ）、まず、携帯通信端末１００の第１ユニット１と第２ユニット２との開閉状態を状態検出部１０９において確認する（ステップＳ１０２）。第１ユニット１と第２ユニット２との開閉角度が０度の閉じた状態にあることが状態検出部１０９において確認された場合には（ステップＳ１０２のＮｏ）、通信機能用として備えられている第１操作部１０８−１のテンキー、第３操作部１０８−３のスライドキーおよび第４操作部１０８−４の方向キー／決定キー／機能キーを使用する状態にあると判定して、ステップＳ１０３に移行する。
【００３２】
一方、第１ユニット１と第２ユニット２とは開いた状態にあることが状態検出部１０９において確認された場合には（ステップＳ１０２のＹｅｓ）、次に、第２操作部１０８−２のＱＷＥＲＴＹキーを使用する状態、すなわち、第１ユニット１と第２ユニット２との開閉角度が９０度以上の開状態にあるか否かを状態検出部１０９において確認する（ステップＳ１０４）。
【００３３】
第１ユニット１と第２ユニット２との開閉角度が９０度以上の開状態にあることが状態検出部１０９において検出された場合（ステップＳ１０４のＹｅｓ）、携帯通信端末１００の制御部１１３は、情報処理機能用として備えられている第２操作部１０８−２のＱＷＥＲＴＹキーの利用を許可する（ステップＳ１０５）。この際、ステップＳ１０５に示すように、第１操作部１０８−１のテンキー、第３操作部１０８−３のスライドキーおよび第４操作部１０８−４の方向キー／決定キー／機能キーは利用不可状態に設定するようにしても良い。
【００３４】
また、第１ユニット１と第２ユニット２とが閉じた状態にあるか（ステップＳ１０２のＮｏ）、あるいは、開いた状態であっても、第１ユニット１と第２ユニット２との開閉角度が９０度未満の開状態にあることが状態検出部１０９において検出された場合（ステップＳ１０４のＮｏ）、通信機能用として備えられている第１操作部１０８−１のテンキー、第３操作部１０８−３のスライドキーおよび第４操作部１０８−４の方向キー／決定キー／機能キーを使用する状態に設定する一方、第２操作部１０８−２のＱＷＥＲＴＹキーは利用不可の状態に設定する（ステップＳ１０３）。
【００３５】
以上のように、第１ユニット１と第２ユニット２との開閉角度の如何により、操作部１０８として利用可能なキーが変更されて、利用者の利便性が向上するとともに、第１ユニット１と第２ユニット２とを閉じた状態においては、外部に露出する第２の操作部１０８−２のＱＷＥＲＴＹキーを、常に、利用不可の状態となるように制御するので、ＱＷＥＲＴＹキーからの誤操作や誤入力を防止することができる。
【００３６】
また、第１ユニット１と第２ユニット２とを閉じた状態であっても、開いた状態であっても、つまり、通信機能の実行時においても、情報処理機能の実行時においても、制御部１１３は、第１ユニット１の外面に備えられた表示部１０７に必要な情報を画面表示するように制御しているので、１つの表示部のみを当該携帯通信端末１００に備えれば良く、端末コストの低減、端末の小型化を図ることが可能になる。
【００３７】
次に、本発明の一実施形態である図１ないし図４の携帯通信端末１００の図５とは異なる動作について、図６を参照しながら説明する。ここに、図６は、本発明の一実施形態である携帯通信端末１００の動作の図５とは異なる例を説明するためのフローチャートであり、本発明の携帯通信端末制御方法の他の例を示している。つまり、第１ユニット１と第２ユニット２との開閉角度の如何により、表示部１０７の画面表示を、縦長表示、横長表示に切り替えることを可能とする例を示している。
【００３８】
まず、携帯通信端末１００の電源がＯＮされると（ステップＳ２０１のＹｅｓ）、次に、携帯通信端末１００の第１ユニット１と第２ユニット２との開閉状態を状態検出部１０９において確認する（ステップＳ２０２）。第１ユニット１と第２ユニット２とは閉じた状態にあることが状態検出部１０９において確認された場合には（ステップＳ２０２のＮｏ）、表示部１０７を縦長表示画面として使用する状態にあると判定して、ステップＳ２０３に移行する。
【００３９】
一方、第１ユニット１と第２ユニット２とは開いた状態にあることが状態検出部１０９において確認された場合には（ステップＳ２０２のＹｅｓ）、次に、第１ユニット１と第２ユニット２との開閉角度が９０度以上の開状態にあるか否かを状態検出部１０９において確認する（ステップＳ２０４）。
【００４０】
開いた状態であっても、第１ユニット１と第２ユニット２との開閉角度が９０度未満の開状態にあることが状態検出部１０９において検出された場合（ステップＳ２０４のＮｏ）、表示部１０７を縦長表示画面として使用する状態にあると判定して、ステップＳ２０３に移行する。
【００４１】
一方、第１ユニット１と第２ユニット２との開閉角度が９０度以上の開状態にあることが状態検出部１０９において検出された場合（ステップＳ２０４のＹｅｓ）、さらに、第１ユニット１と第２ユニット２との開閉角度が１８０度の開状態にあるか否かを状態検出部１０９において確認する（ステップＳ２０５）。
【００４２】
第１ユニット１と第２ユニット２との開閉角度が９０度以上開いている状態であっても、１８０度にまでは達していない開状態にあることが状態検出部１０９において検出された場合（ステップＳ２０５のＮｏ）、携帯通信端末１００の制御部１１３は、表示部１０７を横長表示画面として利用するように設定する（ステップＳ２０６）。
【００４３】
また、第１ユニット１と第２ユニット２とが閉じた状態にあるか（ステップＳ２０２のＮｏ）、あるいは、開いた状態であっても、第１ユニット１と第２ユニット２との開閉角度が９０度未満の開状態にあるか（ステップＳ２０４のＮｏ）、あるいは、９０度以上開いている状態であっても、第１ユニット１と第２ユニット２との開閉角度が１８０度に達していることが状態検出部１０９において検出された場合（ステップＳ２０５のＹｅｓ）、携帯通信端末１００の制御部１１３は、表示部１０７を縦長表示画面として利用するように設定する（ステップＳ２０３）。
【００４４】
以上のように、第１ユニット１と第２ユニット２との開閉角度の如何により、表示部１０７の画面表示を縦長、横長に切り替えることを可能とすることにより、利用者の利便性が向上する。
【００４５】
さらに、制御部１１３は、第１ユニット１と第２ユニット２との開閉角度について、閉状態から１８０度の開状態への変位を検出したときは、カメラ部１０３を起動して、カメラ撮像モードとするとともに、図６のステップＳ２０３にも示すように、表示部１０７に、カメラ部１０３のファインダー表示が出力される状態に制御しても良い。
【００４６】
（実施形態の効果の説明）
以上に詳細に説明したように、本実施形態によれば、携帯通信端末１００の第１ユニット１、第２ユニット２を閉じた状態であっても、表示部１０７を外部に露出した状態にするとともに、第１操作部１０８−１のテンキー、第２操作部１０８−２のＱＷＥＲＴＹキー、第３操作部１０８−３のスライドキー、および、第４操作部１０８−４の方向キー／決定キー／機能キーを外部に露出して利用者の操作を可能としているので、第１操作部１０８−１のテンキーの操作時の表示部１０７と第２操作部１０８−２のＱＷＥＲＴＹキーの操作時の表示部１０７とを兼用させることができ、端末コストの低減および端末の小型化を図ることができる。
【００４７】
また、第１ユニット１と第２ユニット２との開閉角度に応じて、操作可能な操作部１０８を切り替えたり、表示部１０７の表示方向（縦長表示、横長表示）を切り替えたり、カメラ部１０３の撮像機能を起動したりすることにより、利用者の利便性を向上させることができる。
【００４８】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
（２）前記第１ユニットと前記第２ユニットとの開閉角度を検出する開閉検出部を備え、前記制御部は、前記開閉検出部が検出した前記開閉角度に応じて、当該携帯通信端末の動作を切り替える上記（１）の携帯通信端末。
（３）前記制御部は、前記開閉検出部が検出した前記開閉角度が０度で閉じた状態にあった場合には、前記通信機能を動作可能な状態として、前記第１操作部および前記第３操作部を利用可能な状態に設定し、前記第２操作部を利用不可能な状態に設定する上記（２）の携帯通信端末。
（４）前記制御部は、前記開閉検出部が検出した前記開閉角度が９０度以上に開いた状態にあった場合には、前記情報処理機能を動作可能な状態として、前記第２操作部を利用可能な状態に設定する上記（２）または（３）の携帯通信端末。
（５）前記制御部は、前記開閉検出部が検出した前記開閉角度が０度で閉じた状態または９０度未満に開いた状態または１８０度に開いた状態にあった場合には、前記表示部を縦長画面表示になるように設定する上記（２）ないし（４）のいずれかの携帯通信端末。
（６）前記制御部は、前記開閉検出部が検出した前記開閉角度が９０度以上で１８０度未満に開いた状態にあった場合には、前記表示部を横長画面表示になるように設定する上記（２）ないし（５）のいずれかの携帯通信端末。
（７）前記制御部は、前記開閉検出部が前記開閉角度が０度の閉じた状態から１８０度に開いた状態になったことを検出した場合には、画像情報の取得を行うカメラ部を起動するとともに、前記表示部の画面表示をカメラのファインダー表示状態に設定する上記（２）ないし（６）のいずれかの携帯通信端末。
（８）前記第１操作部が、テンキーであり、前記第２操作部が、ＱＷＥＲＴＹキーであり、前記第３操作部が、スライドキーである上記（１）ないし（７）のいずれかの携帯通信端末。
（９）当該携帯通信端末が、携帯情報端末（ＰＤＡ：Personal Digital Assistants）、携帯電話機、ＰＨＳ（Personal Handy-phone System）端末、携帯音楽プレーヤ、携帯ノートＰＣ（Personal Computer）のいずれかである上記（１）ないし（８）のいずれかの携帯通信端末。
（１０）少なくとも通信機能用の操作を行う第１操作部および情報を画面表示する表示部を外面側に備えた第１ユニットと、少なくとも情報処理機能用の操作を行う第２操作部を外面側に備えた第２ユニットと、スライド式のキー操作を行う第３操作部を備えるとともに前記第１ユニットと前記第２ユニットとを開閉自在に結合するヒンジ部とから構成された携帯通信端末において、前記通信機能および前記情報処理機能の制御を行う携帯通信端末制御方法であって、前記第１操作部、前記第２操作部、前記第３操作部、前記表示部のいずれもが、前記第１ユニットと前記第２ユニットとを閉じた状態において外部に露出された状態に配設され、且つ、前記通信機能、前記情報処理機能のそれぞれの動作時において、必要とする情報を前記表示部に画面表示させるように制御する携帯通信端末制御方法。
（１１）前記第１ユニットと前記第２ユニットとの開閉角度を検出し、検出した前記開閉角度に応じて、当該携帯通信端末の動作を切り替える上記（１０）の携帯通信端末制御方法。
（１２）前記第１ユニットと前記第２ユニットとの前記開閉角度が０度で閉じた状態にあった場合には、前記通信機能を動作可能な状態として、前記第１操作部および前記第３操作部を利用可能な状態に設定し、前記第２操作部を利用不可能な状態に設定する上記（１１）の携帯通信端末制御方法。
（１３）前記第１ユニットと前記第２ユニットとの前記開閉角度が９０度以上に開いた状態にあった場合には、前記情報処理機能を動作可能な状態として、前記第２操作部を利用可能な状態に設定する上記（１１）または（１２）の携帯通信端末制御方法。
（１４）前記第１ユニットと前記第２ユニットとの前記開閉角度が０度で閉じた状態または９０度未満に開いた状態または１８０度に開いた状態にあった場合には、前記表示部を縦長画面表示になるように設定する上記（１１）ないし（１３）のいずれかの携帯通信端末制御方法。
（１５）前記第１ユニットと前記第２ユニットとの前記開閉角度が９０度以上で１８０度未満に開いた状態にあった場合には、前記表示部を横長画面表示になるように設定する上記（１１）ないし（１４）のいずれかの携帯通信端末制御方法。
（１６）前記第１ユニットと前記第２ユニットとの前記開閉角度が０度の閉じた状態から１８０度に開いた状態になったことを検出した場合には、画像情報の取得を行うカメラ部を起動するとともに、前記表示部の画面表示をカメラのファインダー表示状態に設定する上記（１１）ないし（１５）のいずれかの携帯通信端末制御方法。
（１７）前記第１操作部が、テンキーであり、前記第２操作部が、ＱＷＥＲＴＹキーであり、前記第３操作部が、スライドキーである上記（１０）ないし（１６）のいずれかの携帯通信端末制御方法。
（１８）上記（１０）ないし（１７）のいずれかの携帯通信端末制御方法をコンピュータによって実行可能なプログラムとして実施する携帯通信端末制御プログラム。
（１９）上記（１８）の携帯通信端末制御プログラムをコンピュータによって読み取り可能な記録媒体に記録しているプログラム記録媒体。
【図面の簡単な説明】
【００４９】
【図１】本発明による携帯通信端末の構成例を示す模式図である。
【図２】本発明の一実施形態である図１の携帯通信端末の内面の構成例を示す内面図である。
【図３】本発明の一実施形態である図１の携帯通信端末の外面の構成例を示す外面図である。
【図４】本発明の一実施形態である図１の携帯通信端末の内部構成の一例を示すブロック構成図である。
【図５】本発明の一実施形態である図１の携帯通信端末の動作の一例を説明するためのフローチャートである。
【図６】本発明の一実施形態である図１の携帯通信端末の動作の図５とは異なる例を説明するためのフローチャートである。
【符号の説明】
【００５０】
１          第１ユニット
２          第２ユニット
３          ヒンジ部
１００      携帯無線端末
１０１      無線通信部
１０２      放送受信部
１０３      カメラ部
１０４      音声処理部
１０５      マイク
１０６      スピーカ
１０７      表示部
１０８      操作部
１０８−１  第１操作部（テンキー）
１０８−２  第２操作部（ＱＷＥＲＴＹキー）
１０８−３  第３操作部（スライドキー）
１０８−４  第４操作部（方向キー／決定キー／機能キー）
１０９      状態検出部
１１０      開閉センサ
１１１      スピーカ部
１１２      記憶部
１１３      制御部
１１４      アンテナ
１１４−１  第１アンテナ
１１４−２  第２アンテナ
【図１】
2010050618.tif 000003
【図２】
2010050618.tif 000004
【図３】
2010050618.tif 000005
【図４】
2010050618.tif 000006
【図５】
2010050618.tif 000007
【図６】
2010050618.tif 000008